(57)【要約】【課題】  立体商品見本またはシート状商品見本を展示するに好適な、取り扱いが容易で簡易な構造の自動販売機の商品見本展示装置を提供する。【解決手段】  立体商品見本の載置部を有し、上記載置部の前端に立体商品見本の前端下部位置を規制する前端板を備えた展示棚本体に、立体商品見本またはシート状商品見本を選択的に支持する為の見本支持体をその前後方向に可動自在に備える。そして見本支持体を前記載置部の上方から退避した後退位置に位置付けたときには該見本支持体により前記載置部に載置された立体商品見本をその背面側から支持するようにし、一方、前記見本支持体を前記前端板の上方に突出する前進位置に位置付けたときには該見本支持体と前記前端板との間でシート状商品見本を挟み込んで保持する構造を有する。【選択図】      図４
2006031544.tif 000002
【特許請求の範囲】
【請求項１】
自動販売機の前扉に組み込まれ、商品選択釦に対応付けて商品見本を展示する商品見本展示装置であって、
立体商品見本の載置部を有する展示棚本体と、
この展示棚本体における上記載置部の前端に設けられて前記載置部に載置された立体商品見本の前端下部位置を規制する前端板と、
前記展示棚本体に可動自在に設けられ、前記載置部の上方から退避した後退位置に位置付けられたときには前記載置部に載置された立体商品見本をその背面側から支持すると共に、前記前端板の上方に突出する前進位置に位置付けられたときには前記前端板との間にシート状商品見本を挟み込んで保持する見本支持体と
を具備したことを特徴とする自動販売機の商品見本展示装置。
【請求項２】
前記見本支持体は、前記展示棚本体における前記載置部の上方において該展示棚本体の前後方向に傾倒自在に、その下端部を前記載置部の後端部において軸支されたものである請求項１に記載の自動販売機の商品見本展示装置。
【請求項３】
前記見本支持体は、後退位置に位置付けられたとき、前記載置部に対して略直角に位置付けられて前記立体商品見本の背面を支持する背面支持部を備えると共に、前進位置に位置付けられたときには上記背面支持部よりも前側に突出して前記前端板の上方位置に位置付けられて前記シート状商品見本の上端部を保持するホルダを前記背面支持部の上端に備えたものからなる請求項１に記載の自動販売機の商品見本展示装置。
【請求項４】
前記ホルダは、前記見本支持体の上端に設けられて前記シート状商品見本の上端縁が嵌め込まれる下向きの溝からなり、前記前端板の前面下部に設けられて前記シート状商品見本の下端縁が嵌め込まれる受け溝との間に前記シート状商品見本を挟み込んで保持するものである請求項３に記載の自動販売機の商品見本展示装置。
【発明の詳細な説明】
【技術分野】
【０００１】
本発明は、たばこ等の自動販売機の前扉に組み込まれて立体商品見本またはシート状商品見本を展示するに好適な自動販売機の商品見本展示装置に関する。
【背景技術】
【０００２】
たばこ等のパッケージ商品の自動販売機は、通常、箱形の販売機本体の前面部に設けた前扉の前面に、商品見本展示部（商品見本展示装置）や、この商品見本展示部に展示された商品見本を選択的に指定する商品選択釦、更には金銭投入口や釣り銭払出口等を設けて構成される（例えば特許文献１を参照）。商品見本展示部は、販売対象とするパッケージ商品（例えばたばこ）の見本を並べて展示する複数段の商品展示棚を備えたもので、商品選択釦は上記商品見本展示棚に展示される複数の商品見本に対応付けて設けられる。そして自動販売機は、上記商品選択釦が選択的に押圧操作されたとき、その商品選択釦が対応付けられた商品見本により特定されるパッケージ商品を選択的に払い出すものとなっている。
【特許文献１】特開２００２−２７９４９７号公報
【発明の開示】
【発明が解決しようとする課題】
【０００３】
ところで前述した商品見本展示部に展示する商品見本は、専ら、商品の外観（形状・デザイン）を模して製作されたプラスチック製の立体商品見本（立体ダミー）として提供される。尚、立体商品見本が提供されない場合には、パッケージ商品そのものを見本として前記商品見本展示部に展示する場合もある。しかしこの種の立体商品見本（立体ダミー）を商品種別（銘柄）毎に準備するには多大な経費が嵩むことが否めない。またパッケージ商品そのものを見本として用いた場合、当該商品を販売することができないと言う不具合がある。
【０００４】
そこでプラスチック等からなるシート状の薄板に商品イメージ等を印刷した安価なシート状商品見本（フィルムダミー）を前述した商品見本展示部に展示することが考えられている。しかしながら従来の自動販売機における商品展示部は、専ら、複数の立体商品見本（立体ダミー）を並べて展示するように構成されているだけなので、シート状商品見本（フィルムダミー）を如何にして見栄え良く、しかも安定に保持して展示するかと言う点で幾つかの問題を有している。更には商品展示部に立体商品見本（立体ダミー）とシート状商品見本（フィルムダミー）とを混在させて展示する場合、これらの商品見本をどのように並べて展示するかと言う点でも問題が残されている。
【０００５】
本発明はこのような事情を考慮してなされたもので、その目的は、立体商品見本またはシート状商品見本を展示するに好適な、取り扱いが容易で簡易な構造の自動販売機の商品見本展示装置を提供することにある。
【課題を解決するための手段】
【０００６】
上述した目的を達成するべく本発明に係る自動販売機の商品見本展示装置は、自動販売機の前扉に組み込まれて販売対象商品の見本を商品選択釦に対応付けて展示するものであって、
<ａ>  立体商品見本の載置部を有する展示棚本体と、
<ｂ>  この展示棚本体における上記載置部の前端に設けられて前記載置部に載置された立体商品見本の前端下部位置を規制する前端板と、
<ｃ>  前記展示棚本体に可動自在に設けられ、前記載置部の上方から退避した後退位置に位置付けられたときには前記載置部に載置された立体商品見本をその背面側から支持すると共に、前記前端板の上方に突出する前進位置に位置付けられたときには前記前端板との間にシート状商品見本を挟み込んで保持する見本支持体と
を備えたことを特徴としている。
【０００７】
即ち、本発明に係る自動販売機の商品見本展示装置は、立体商品見本の載置部を有し、この載置部の前端に該載置部に載置された立体商品見本の前端下部位置を規制する前端板を備えた展示棚本体に、立体商品見本またはシート状商品見本を選択的に支持する為の見本支持体をその前後方向に可動自在に設けている。そしてこの見本支持体を前記載置部の上方から退避した後退位置に位置付けたときには該見本支持体により前記載置部に載置された立体商品見本をその背面側から支持するようにし、一方、前記見本支持体を前記前端板の上方に突出する前進位置に位置付けたときには該見本支持体と、前記前端板との間でシート状商品見本を挟み込んで保持するようにしたことを特徴としている。
【０００８】
好ましくは請求項２に記載するように前記見本支持体は、前記展示棚本体における前記載置部の上方において該展示棚本体の前後方向に傾倒自在に、その下端部を前記載置部の後端部において軸支したものとして実現される。特に見本支持体については、請求項３に記載するように後退位置に位置付けられたとき、前記載置部に対して略直角に位置付けられて前記立体商品見本の背面を支持する背面支持部を備えると共に、前進位置に位置付けられたときには上記背面支持部よりも前側に突出して前記前端板の上方位置に位置付けられて前記シート状商品見本の上端部を保持するホルダを前記背面支持部の上端に備えたものとして構成することが望ましい。
【０００９】
尚、上記ホルダについては請求項４に記載するように、例えば前記見本支持体の上端に設けられて前記シート状商品見本の上端縁が嵌め込まれる下向きの溝として実現し、前記前端板の前面下部に設けられて前記シート状商品見本の下端縁が嵌め込まれる受け溝との間に前記シート状商品見本を挟み込んで保持するように構成すれば良い。
【発明の効果】
【００１０】
上述した構成の商品見本展示装置によれば、展示棚本体に立体商品見本を展示するか、或いはシート状商品見本を展示するかに応じて、前記展示棚本体に前後方向に可動自在に設けた見本支持体を後退位置または前進位置に選択的に位置付けるだけで、展示棚本体に立体商品見本またはシート状商品見本を容易に、しかも安定に展示することができる。特に見本支持体を後退位置に位置付ければ、前記載置部に載置された立体商品見本をその背面側から支持し、前記前端板との間に挟み込んで安定に保持することができる。また見本支持体を前進位置に位置付ければ、前端板の上方に突出する見本支持体と上記前端板との間にシート状商品見本を挟み込むことで、該シート状見本を安定に保持することが可能となる。つまり見本支持体を前後に選択的に位置付けるだけで、立体商品見本またはシート状商品見本を安定に保持して展示することが可能となる。
【００１１】
特に請求項２に記載するように見本支持体を、その下端部を軸支して傾倒自在に設ければ、立体商品見本の背面を支持する見本支持体の高さを積極的に利用して、例えば見本支持体を僅かに前傾させるだけで該見本支持体の上端を前記前端板の上方に位置付けることが可能となる。この結果、見本支持体のみならず、展示棚本体の奥行き寸法を短くすることができ、その全体的な構成の簡素化を図ることが可能となる。
【００１２】
更には前進位置に位置付けた見本支持体の上端に設けたホルダ（溝）と、前端板の前面下部に設けた受け溝との間にシート状商品見本の上下端を挟み込んで保持するので、その装脱作業が容易である。しかも展示棚本体の前面部にシート状商品見本を見栄え良く、安定に保持することができる等の効果が奏せられる。
【発明を実施するための最良の形態】
【００１３】
以下、図面を参照して本発明の一実施形態に係る自動販売機の商品見本展示装置について、たばこの自動販売機を例に説明する。
図１は自動販売機の外観とその概略的な内部構造を示す斜視図で、１はその内部に複数種の商品（たばこ）を銘柄別に分類して収納した、例えば高さ約１８０ｃｍ，幅約８０ｃｍ、奥行き約５０ｃｍの箱形の販売機本体であり、２は販売機本体１の前面部に開閉自在に設けられた前扉である。この前扉２の前面には、図１(ａ)に示すように販売対象とする複数の商品見本を展示する商品見本展示部３、およびこの商品見本展示部３に展示された商品を選択的に指定する為の複数の商品選択釦４が設けられている。
【００１４】
上記商品見本展示部３は、複数種の商品見本（ダミー）を載置して展示する複数段の商品展示ユニットを備え、その前面部を透明なアクリル板等により覆ったものである。また前記商品選択釦４は上記各商品展示ユニットに展示された商品見本（ダミー）にそれぞれ対応付けて前記前扉２の前面側から押圧操作可能に、前記各商品展示ユニットの前端部にそれぞれ設けられている。尚、この図１(ａ)に示す自動販売機においては、前扉２の前面上端部に該自動販売機の略全幅に跨る幅広の商品展示ユニットが１段設けられ、前扉２の前面左側の部位には該自動販売機の略１／２幅の幅狭の商品展示ユニットが上下７段に亘って設けられており、計４９個の商品見本を展示可能な商品見本展示部３が構成されている。
【００１５】
また前扉２の前面における略中央高さ位置の右側領域には、コイン投入口５ａ，紙幣投入口５ｂ，投入金額等を表示する表示器５ｃ、および釣り銭返却レバー５ｄ等からなる金銭処理機構５が設けられている。更に前記前扉２の前面における低部位置には、前記商品選択釦４の選択的（択一的）な操作に伴って販売機本体１から選択的に払い出された商品を取り出す為の商品取出口６や釣り銭返却口７、更には前扉２の開閉レバー８等が設けられている。
【００１６】
また前記前扉２における上記金銭処理機構５の上部には広告ユニット１０が組み込まれている。この広告ユニット１０は、立体商品見本を左右に揺動させるメカニカル機構を組み込んだり、或いは立体商品見本をその裏面側から照明する照明装置を組み込んだものである。更にこの広告ユニット１０の組み込み位置の近傍、特にその下部位置には上記広告ユニット１０に展示された商品見本を選択的に指定する為の補助商品選択釦１１（この例では３個）が設けられている。この補助商品選択釦１１は、前述した商品選択釦４と共に一括して管理されるもので、商品選択釦４および補助商品選択釦１１の中の１つを選択的に押圧操作することで販売（購入）商品の指定が行われる。
【００１７】
尚、前記前扉２は、図１(ｂ)に示すように販売機本体１の前端部右側を回動支点として左開きに開閉自在に設けられている。更にこの前扉２の裏面側には図１(ｃ)に示すように該前扉２の裏面側を開放可能に中扉９が設けられている。特にこの中扉９は、前扉２の裏面奥部（販売機本体１の右側）を回動軸として、前扉２を開けた状態においてだけその裏面側に開閉し得るように設けられている。前述した広告ユニット１０は、上記中扉９を開けた状態において前扉２の裏面側から該前扉２に装着されている。
【００１８】
また図１(ｂ)に前扉２を開けた状態を示すように、販売機本体１の内部にはパッケージ商品（たばこ）を銘柄別に分類して積み重ねて収納する複数列の商品コラム１ａが多段に設けられており、更に中扉９にも複数列の商品コラム９ａが多段に設けられている。これらの商品コラム１ａ,９ａは前扉２を閉じたときに所定の間隔を隔てて平行に対峙し、これらの商品コラム１ａ,９ａ間に形成される空間部は上記各商品コラム１ａ,９ａから選択的に払い出された商品（たばこ）を前記商品取出口６に導く為の商品ガイド（中央シュート）として用いられる。
【００１９】
更には図１(ｃ)に中扉９を開けた状態を示すように、前記中扉９の内側面、つまり商品コラム９ａの裏面側には前述した商品展示ユニット３０が多段に設けられている。これらの商品展示ユニット３０への商品見本の載置（展示）等は、この図１(ｃ)に示すように中扉９を開けて行われる。また前述した広告ユニット１０の前扉２への装着も、上述したように中扉９を開けた状態で前記前扉２の裏側から行われる。
【００２０】
さて本発明に係る商品見本展示装置は、上述したように自動販売機の前扉２に組み込まれて商品展示部３を構成するもので、基本的には図２にその概略的な横断面構成を示すように販売機本体１の中扉９に多段に亘って取り付けられる商品展示ユニット３０と、これらの商品展示ユニット３０の前面側を覆って前記前扉２に設けられた透明なアクリル板（透明体）２ａと、上記各商品展示ユニット３０に対応して上記アクリル板（透明体）２ａに組み付けられる商品選択操作ユニットとを備える。この商品選択操作ユニットは、上述した商品展示ユニット３０に並べて載置される複数の立体商品見本（立体ダミー）Ｓに対応する商品選択釦４等を組み込んだものである。
【００２１】
ちなみに上記商品選択操作ユニットは、複数の商品選択釦４を並べて保持して前記アクリル板（透明体）２ａの前面側に設けられるユニット本体４１と、前記アクリル板（透明体）２ａの後面側に位置付けられて上記ユニット本体４１を該アクリル板（透明体）２ａに固定する為の背面部材４２とからなる。このユニット本体４１および背面部材４２は前記アクリル板（透明体）２ａを貫通するねじ等により一体化固定することで該アクリル板（透明体）２ａを挟み込んで前扉２に装着される。尚、上記背面部材４２は、図２に示すように断面コの字形状をなしており、その溝空間は前記商品選択釦４等の電気配線スペースとして供される。
【００２２】
さて前記商品展示ユニット３０は、例えば図２にその概略的な外観構造を示すように４個の立体商品見本Ｓまたはシート状商品見本Ｆを横並びに展示可能な４連型の合成樹脂成形体（プラスチック製の部品）として実現される。尚、上記立体商品見本Ｓは、販売対象商品を模した略実物大の大きさのプラスチック製のものからなり、またシート状商品見本Ｆはプラスチック製の薄板（フィルム体）に販売対象商品のイメージ等を印刷または描いたものからなる。このシート状商品見本Ｆは、販売対象商品と略同程度の幅を有するものとして提供されたり、販売対象商品の幅の数倍（２〜４倍）の幅を有するものとして提供される。
【００２３】
即ち、前記商品展示ユニット３０は、概略的にはその前面部に立体商品見本（立体ダミー）Ｓを載置する載置部３１を備えた展示棚本体３２と、上記載置部３１の前端に設けられて該載置部３１に載置された立体商品見本Ｓの前端下部位置を規制する前端板３３とを備え、更に前記展示棚本体３２に可動自在に支持されて前記載置部３１の上方に選択的に位置付けられる板状の見本支持体３４とを備える。また前記前端板３３の前面側には、シート状商品見本Ｆの下端部が嵌め込まれる受け溝部３５が形成されており、更にこの受け溝部３５の前面側には、価格ラベル（図示せず）を保持する為のラベルホルダ３６が設けられている。
【００２４】
特に上記見本支持体３４は、前記展示棚本体３２における載置部３１の奥部にその下端部が軸支されており、該見本支持体３４の上端側を前記展示棚本体３２の前後方向に傾動自在に設けられている。そして見本支持体３４は、後退位置に位置付けられたときには後述するように前記載置部３１に載置された立体商品見本Ｓの背面側を支持し、また前進位置に位置付けられたときには後述するようにその上端と前記前端板３３との間にシート状商品見本Ｆを保持するものとなっている。
【００２５】
そして商品展示ユニット３０は、図３にその使用形態を示すように前述した見本支持体３４を後退位置に位置付けることで前記載置部３１上に立体商品見本（立体ダミー）Ｓを保持し、或いは見本支持体３４を前進位置に位置付けることで前記載置部３１の前面側にシート状商品見本（フィルムダミー）Ｆを装着する。そしてこれらの商品見本Ｓ,Ｆを図示しない商品選択釦に対応付けて展示するものとなっている。
【００２６】
上記商品展示ユニット３０について更に詳しく説明すると、この商品展示ユニット３０は、基本的には図４にその概略的な断面構造を示すように販売機本体１の中扉９に取り付けられる箱状の展示棚本体３２を基体とし、この展示棚本体３２の下部前面側に前記立体商品見本Ｓを載置する為の載置部３１を突出形成している。上記展示棚本体３２は、その背面側に突出形成したフック３２ａを前述した販売機本体１における中扉９に予め形成した展示棚取付孔９ｂに嵌め込むことで該展示棚取付孔９ｂに掛け止めされ、これによって前記中扉９に装着・固定される。
【００２７】
また前記載置部３１の前端部には、所定の高さの前端板（商品見本Ｓ,Ｆの受け部材）３３が略垂直に設けられている。この前端板３３は、主として前述した載置部３１上に載置される立体商品見本（立体ダミー）Ｓの前端下部位置を規制してその脱落を防止する役割を担う。またこの前端板３３は、後述するようにその前面側に装着されるシート状商品見本（フィルムダミー）Ｆの下端側をその背面側から支持し、該シート状商品見本（フィルムダミー）Ｆの座屈、いわゆる中折れを防止する役割も担っている。
【００２８】
尚、前述した受け溝部３５は、上記前端板３３の前端面に連なる所定深さの溝として形成されており、前記上記前端板３３の前端面に沿って前記シート状商品見本（フィルムダミー）Ｆの下端部が差し込み得るようになっている。またこの受け溝部３５の前面側に設けられたラベルホルダ３６は、前記載置部３２における立体商品見本Ｓの載置面の下方に位置に形成された枠体（枠溝）からなる。この枠体（枠溝）内に図示しない価格ラベルが着脱自在に装着される。
【００２９】
さて展示棚本体３２に傾倒自在に設けた前記見本支持体３４は、図４および図５にその概略的な横断面構造を示すように、展示棚本体３２に軸支された下端部から所定の高さまで立ち上がる脚部３４ａと、この脚部３４ａの上端部からその前面側に突出して設けられて該見本支持体３４が後退位置に位置付けられたときに前記載置部３２の後端上方に略垂直に位置付けられる背面支持部３４ｂと、この背面支持部３４の上端に設けられて該見本支持体３４が前進位置に位置付けられたときに前記前端板３３の上方に略垂直に位置付けられる上端支持部３４ｃとを備える。
【００３０】
上記背面支持部３４ｂは、見本支持体３４が後退位置に位置付けられたとき、前記載置部３２の後端上方に位置付けられて該載置部３２に対して略垂直な面をなす部位であり、前記載置部３２上に載置された立体商品見本Ｓの背面を支持する役割を担う。またこの背面支持部３４ｂの上端に連接されて該背面支持部３４ｂの面に対して後方に傾斜した面をなす上端支持部３４ｃは、見本支持体３４が前進位置に位置付けられたとき、前記前端板３３の上方に位置付けられ、前記前端板３３が形成した面と同一面を形成するようになっている。この上端支持部３４ｃは前記前端板３３の上方に位置付けられたとき、前記前端板３３の前面に装着されるシート状商品見本Ｆの上端側をその背面側から支持する役割を担っている。
【００３１】
また前記上端支持部３４ｃの上端部には、上述した如くその前面側に装着されるシート状商品見本Ｆの上端を挟み込んで該シート状商品見本Ｆの上端部を保持する鈎型のホルダ３４ｄが設けられている。この上記ホルダ３４ｄは、図５(ａ)に示すように受け溝部３５との間にシート状商品見本Ｆを装着したとき、その上下端をそれぞれ挟み込んで該シート状商品見本Ｆを前記前端板３３の前面に保持する役割を担う。
【００３２】
また上記ホルダ３４ｄを備えた上端支持部３４ｃは、見本支持体３４を後退位置に位置付けたとき、該上端支持部３４ｃの傾斜によって図５(ｂ)に示すように背面支持部３４ｂよりも後ろ側の前記載置部３１の上方領域から外れた位置に位置付けられる。この結果、見本支持体３４を後退位置に位置付けて前記載置部３１に立体商品見本（立体ダミー）Ｓを載置する場合、上端支持部３４ｃおよびホルダ３４ｄの存在が前記載置部３１への上記立体商品見本Ｓの展示を妨げることがないようになっている。
【００３３】
尚、前記脚部３４ａには、前記載置部３１の上方に位置して該載置部３１側に突出する商品押さえ片（舌片）３４ｅが設けられている。特にこの商品押さえ片３４ｅは、脚部３４ａの上端部側を支点として脚部３４ａの前方に向けて延びる弾性変形可能な弾性片として設けられている。この商品押さえ片３４ｅは、前記載置部３１上に載置された立体商品見本Ｓをその背面側から押圧し、前述した前端板３３との間に立体商品見本Ｓを挟み込んで前記載置部３１上に安定に保持する役割を担う。
【００３４】
即ち、展示棚本体３２にその下端部が軸支されて前後方向に傾倒自在に設けられた前記見本支持体３４は、前進位置に位置付けられたときに前記前端板３３の上方に位置付けられて該前端板３３の前面に装着されるシート状商品見本Ｆを保持するホルダ３４ｄを備えると共に、後退位置に位置付けられたときには載置部３１に載置される立体商品見本Ｓをその背面側から支持する背面支持部３４ｂを備えた構造を有している。そして見本支持体３４を後退位置に位置付けたときには前記ホルダ３４ｄを載置部３１の上方領域から退避させ、また前進位置に位置付けたときには前記背面支持部３４ｂを、前記ホルダ３４ｄを前端板３３の上方に位置付ける支持体として機能させるものとなっている。
【００３５】
この結果、見本支持体３４を前進位置または後退位置に選択的に位置付けるだけで、図３および図５にそれぞれ示すように立体商品見本Ｓまたはシート状商品見本Ｆをそれぞれ安定に保持することが可能となる。特に立体商品見本Ｓについては前記見本支持体３４を後退位置に位置付けるだけで従来一般的な商品展示棚と同様に、載置部３３上に安定に保持（装着）することができ、またシート状商品見本Ｆについては前記見本支持体３４を前進位置に位置付けるだけで簡単に前記前端板３３の前面、つまり商品展示ユニット３０の前面側に装着することができる。従って立体商品見本Ｓであっても、或いはシート状商品見本Ｆであっても、その商品見本を商品選択釦４に対応付けて商品展示ユニット３０に装着することができるので、その実用的利点が多大である。
【００３６】
尚、上述した商品展示ユニット３０を多段に設けた中扉９には、図４に示すように各商品展示ユニット３０の下方に位置して該商品展示ユニット３０と平行に直管型の蛍光灯５０が設けられる。これらの蛍光灯５０は、プラスチック製の商品展示ユニット３０を、更にはこの商品展示ユニット３０に載置されたプラスチック製の立体商品見本Ｓやシート状商品見本Ｆを裏面側から透過照明すると共に、前述したアクリル板（透明体）２ａにより覆われた商品展示装置の内部空間を全体的に照明する役割を担う。このような透過照明により、立体商品見本Ｓおよびシート状商品見本Ｆの展示効果、ひいては商品アピール効果を高めることが可能となる。
【００３７】
上述した構成の商品展示ユニット３０を用いたシート状商品見本Ｆの展示形態については、例えば図６(ａ)に示すように商品選択釦４に対応した展示領域毎に商品幅のシート状商品見本Ｆを個々の見本支持体３４にそれぞれ装着することのみならず、図６(ｂ)示すように商品幅の数倍の大きさを有する大型（幅広）のシート状商品見本Ｆを、複数の見本支持体３４に一括して装着することも可能である。また図６(ｃ)に示すように商品サイズよりも十分に大きいシート状の背面パネルＢＰを複数の見本支持体３４の前面に設けた後、上記背面パネルＢＰの前面にシート状商品見本Ｆを装着して商品展示ユニット３０とシート状商品見本Ｆとの間に前記背面パネルＢＰを挟み込んで支持するようにしても良い。
【００３８】
この場合には、例えば前記背面パネルＢＰに前述した見本支持体３４に設けられたホルダ３４ｄを貫通する孔Ｈを設けておき、先ず、背面パネルＢＰの下端部を前述した受け溝部３５に差し込むことで商品展示ユニット３０の前面に背面パネルＢＰを位置付ける。その上で上記背面パネルＢＰの前面にシート状商品見本Ｆを取り付け、このシート状商品見本Ｆを商品展示ユニット３０に装着すれば、該シート状商品見本Ｆによって前記背面パネルＢＰも前記商品展示ユニット３０に装着されることになる。このようにして背面パネルＢＰを取り付けるようにすれば、その大きなパネル面を利用して多彩な広告展開を図ることが可能となる。
【００３９】
尚、本発明は上述した実施形態に限定されるものではない。ここでは４連型のものについて説明したが、その連結数は特に限定されるものではなく、１個の商品見本だけを展示可能なものにも同様に適用することができる。また実施形態において見本支持体３４を前後に傾動可能に設けたが、前後方向に摺動自在に設けることも勿論可能である。また見本支持体３４を前進位置または後退位置に選択的に位置付けるに際して、展示棚本体３２との間でクリック的に係合可能な係合部を設けておき、前進位置または後退位置での位置ずれを防止する等の工夫を施しておくことも有用である。その他、本発明はその要旨を逸脱しない範囲で種々変形して実施することができる。
【図面の簡単な説明】
【００４０】
【図１】本発明が適用される自動販売機の概略構成を示す図。
【図２】本発明の一実施形態に係る自動販売機の商品見本展示装置の要部概略構成を示す外観斜視図。
【図３】図２に示す商品見本展示装置への立体商品見本Ｓおよびシート状商品見本Ｆの装着状態を示す図。
【図４】図２に示す商品見本展示装置の概略構成を示す要部断面図。
【図５】図２に示す商品見本展示装置への立体商品見本Ｓおよびシート状商品見本Ｆの装着形態をそれぞれ示す図。
【図６】商品見本展示装置への各種のシート状商品見本Ｆの装着例を示す図。
【符号の説明】
【００４１】
１  販売機本体
２  前扉
３０  商品展示ユニット
３１  載置部
３２  展示棚本体
３３  前端板
３４  見本支持体
３４ａ  脚部
３４ｂ  背面支持部
３４ｃ  上端支持部
３４ｄ  ホルダ
３４ｅ  商品押さえ片
３５  受け溝部
３６  ラベルホルダ
Ｓ  立体商品見本（立体ダミー）
Ｆ  シート状商品見本（フィルムダミー）
【図１】
2006031544.tif 000003
【図２】
2006031544.tif 000004
【図３】
2006031544.tif 000005
【図４】
2006031544.tif 000006
【図５】
2006031544.tif 000007
【図６】
2006031544.tif 000008